(57)【要約】【課題】不正行為がなされた際の基板ボックスの開放履歴を、札片の破損という現象によって残すことができて、この破損履歴を視認または認識することによって、不正行為がなされたことを簡単にチェックすることのできる遊技機を提供すること【解決手段】基板ボックスの一側部に設けた札片取付部と、この札片取付部に取り付けた札片と、この札片を覆いながら前記札片取付部に取り付けられるカバーと、このカバー内に装着されて、当該カバーの前記札片取付部に対する取付解除を行うとともに、この取付解除以前に前記札片に破損履歴を残す爪部材とを備えたこと。【選択図】図７
2014208246.tif 000002
【特許請求の範囲】
【請求項１】
遊技のための回路基板が収納されて、ボックスベースとボックスカバーとを備えた基板ボックスを組み付けた遊技機であって、
前記基板ボックスの一側部に設けられる札片取付部と、
その札片取付部に取り付けられる札片と、
その札片を覆って前記札片取付部に取り付けられるカバーと、
当該カバーの前記札片取付部に対する取付解除が行われる場合に前記札片を破損させる爪部分とを備え、
該爪部分が設けられる前記一側部とは反対の他側部側を回動中心として前記基板ボックスが回動可能に組み付けられていることを特徴とする遊技機。
【請求項２】
前記遊技機は、パチンコ機であることを特徴とする請求項１に記載の遊技機。
【発明の詳細な説明】
【技術分野】
【０００１】
本発明は、パチンコ機、「アレパチ」とも呼ばれているアレンジパチンコ機、スロットマシン、パチンコ球を使用したスロットマシン等の遊技機に関し、特に識別情報や製造番号等の各種情報を記録した札片を取り付けるようにした遊技機に関するものである。
【背景技術】
【０００２】
ホールなどにおいて、遊技機を新規に設置する場合には、当該遊技ホールの管理者など
によって、製造メーカから出荷され納品された遊技機個々に各種ＩＤ情報の確認が行われ
る。
【先行技術文献】
【特許文献】
【０００３】
【特許文献１】特開２００７−３３０２７６号公報
【発明の概要】
【発明が解決しようとする課題】
【０００４】
本発明の目的とするところは、基板ボックスの開放履歴を、札片の破損という現象によって残され易くした遊技機を提供することにある。
【課題を解決するための手段】
【０００５】
請求項１記載の遊技機では、遊技のための回路基板が収納されて、ボックスベースとボックスカバーとを備えた基板ボックスを組み付けた遊技機であって、前記基板ボックスの一側部に設けられる札片取付部と、その札片取付部に取り付けられる札片と、その札片を覆って前記札片取付部に取り付けられるカバーと、当該カバーの前記札片取付部に対する取付解除が行われる場合に前記札片を破損させる爪部分とを備え、該爪部分が設けられる前記一側部とは反対の他側部側を回動中心として前記基板ボックスが回動可能に組み付けられているが設けられている。なお、札片としては、「証紙ラベル」、「識別シール」等が例示される。
【発明の効果】
【０００６】
請求項１記載の遊技機によれば、基板ボックスの開放履歴を、札片の破損という現象によって残され易くした遊技機を提供することができる。
【図面の簡単な説明】
【０００７】
【図１】本発明に係る遊技機の正面図である。
【図２】同遊技機の背面図である。
【図３】同遊技機の遊技盤裏面の様子を示す斜視図である。
【図４】図３の下側に示してある基板ボックスを開放したときの斜視図である。
【図５】遊技盤裏面を部分的に分解して示した分解斜視図である。
【図６】遊技盤の前方側から示した分解斜視図である。
【図７】基板ボックスの一側部を拡大した部分分解斜視図である。
【図８】図７とは反対側から見た部分分解斜視図である。
【図９】基板ボックスの一側部を拡大した正面図である。
【図１０】爪部材がカバー内に押し込まれていないときの基板ボックスの一側部を示すもので、（ａ）は部分縦断面図、（ｂ）は部分斜視図である。
【図１１】爪部材がカバー内に押し込まれていないときの基板ボックスの一側部を、図９中の１−１線にそってみた状態を示すもので、（ａ）は横断斜視図、（ｂ）は横断面図である。
【図１２】爪部材がカバー内に押し込まれたときの基板ボックスの一側部を示すもので、（ａ）は部分縦断面図、（ｂ）は部分斜視図である。
【図１３】爪部材がカバー内に押し込まれたときの基板ボックスの一側部を、図９中の１−１線にそってみた状態を示すもので、（ａ）は横断斜視図、（ｂ）は横断面図である。
【図１４】カバーが札片取付部から外されたときの基板ボックスの一側部を示すもので、（ａ）は部分縦断面図、（ｂ）は部分斜視図である。
【図１５】カバーが札片取付部から外されたときの基板ボックスの一側部を、図９中の１−１線にそってみた状態を示すもので、（ａ）は横断斜視図、（ｂ）は横断面図である。
【図１６】札片として採用されるＩＣタグを示すもので、（ａ）は平面図、（ｂ）は部分拡大平面図である。
【発明を実施するための形態】
【０００８】
以下、上記課題を解決するための他の手段について課題及び効果を付して説明し、その後に実施の形態を説明する。
【０００９】
近年の遊技機は、非常に精密な電子部品を組み込んだり、あるいは精緻な型成型を行った部品を使用したりしなければならず、全ての部品を一箇所で形成することは不可能になってきている。そこで、各種部品を異なる場所、言い換えればその技術が得意な部品メーカーで製造し、これを出願人のようなセットメーカーで完成品として組立てることが行われており、これによって製造コストの低減が図られるようになってきているのである。
【００１０】
一方、近年発生してきているこの種の遊技機に対する不正行為は、上述したような部品の複雑化に伴って複雑かつ巧妙になってきており、遊技機が多数設置されている所謂ホール（パチンコ店やスロット専門店等）での不正行為は勿論、上述した部品の流通過程においても不正がなされる現状にある。このため、出願人のようなセットメーカーでは、各部品メーカーから搬入されてきた部品が正規のものであるか否かのチェックを行わなければならないことは勿論、ホールへ出荷される遊技機が正規のものであるか否かのチェックも行わなくてはならない。
【００１１】
また、遊技機が多数設置されているホール側においても、設置してある遊技機に不正行為がなされていないか否かを常時チェックする必要があり、特に遊技のための回路基板に不正がなされているか否かのチェックは、上述した部品の複雑化と、遊技機の設置台数が多数であることから、負担が大きくなる作業となっている。
【００１２】
この種の遊技機における不正行為の内、回路基板に関するものは、これを不正に取り外して当該基板内のＲＯＭ（ＣＰＵやＲＯＭが１チップ化されている場合は当該チップ）を交換し遊技内容を変更したり、リード線等により外部から不正な電気信号を回路基板に入力させたりする等が数多く報告されており、従来より各種の不正対策が検討されている。例えば、基板ボックスを透明ケース体にて構成して回路基板の状態を外部から容易に視認できるようにする、基板ボックスに封印構造（いわゆる、カシメ構造）を持たせて基板ボックスの開封時には破壊等による開封履歴を残すようにする、又は、基板ボックスを構成する上下一対のケース体の接合部に再貼付不可能であり剥がすと痕跡が残る封印シールを貼付する等の不正対策が採用されている（例えば特開２００３−１８０９１７号公報参照）。
【００１３】
ところで、遊技機においては、当該遊技機ごと、あるいは主制御装置のような遊技のための回路基板ごとに、各種のＩＤ情報（識別情報）が付されており、それら各ＩＤ情報により遊技機やこれに採用されている回路基板の管理が可能となっている。各種のＩＤ情報としては、以下に述べるように、（１）〜（６）が現在採用されている。（例えば特開２００７−３３０２７６号公報、段落０１５５〜段落０１５８参照）
（１）遊技盤用の証紙ラベルに記された遊技盤ＩＤ情報
遊技盤用の証紙ラベルは、例えば遊技盤に貼付され、遊技盤ＩＤ情報として遊技盤の製造メーカ名（例えば、（株）××物産）、遊技機製造番号（例えば、No.１２３４５６７
）、及びそれらの各データを二次元コード化したＱＲコード（登録商標）が記されている。
（２）枠用の証紙ラベルに記された枠ＩＤ情報
枠用の証紙ラベルは、遊技盤等を開閉可能に支持する本体枠に貼付され、枠ＩＤ情報として本体枠の製造メーカ名（例えば、（株）××物産）、遊技機製造番号（例えば、No.
１２３４５６７）、及びそれらの各データを二次元コード化したＱＲコード（登録商標）が記されている。
（３）識別シールに記された主基板ＩＤ情報
識別シールは、主制御装置等の回路基板を収納する基板ボックスに貼付され、（主）基板ＩＤ情報として製造メーカコード（例えば、ＳＹ−Ｆ）、製造番号（例えば、No.１２
３４５６７）、及びそれらの各データを二次元コード化したＱＲコード（登録商標）が記されている。
（４）識別シールに記された遊技機ＩＤ情報
識別シールは、主制御装置等の回路基板を収納する基板ボックスに貼付され、遊技機ＩＤ情報として製造メーカ名（例えば、（株）××物産）、機種名（例えば、××物語）、機種コード（例えば、１２３４５Ａ）、及びそれらの各データを二次元コード化したＱＲコード（登録商標）が記されている。
（５）ＩＣタグのタグＩＤ情報
ＩＣタグは、主制御装置等の回路基板を収納する基板ボックス等の封印シールに組み付けられ、タグＩＤ情報として製造メーカ名（又は複数のメーカごとに付されたメーカ固有番号）、遊技機固有のＩＤ番号が格納されている。
（６）マイコンチップに格納されたチップＩＤ情報
マイコンチップは、主制御装置等の回路基板に実装され、チップＩＤ情報としてチップ固有番号等が記憶されている。
【００１４】
上記（１）〜（６）の各情報は、製造メーカにおいて遊技機の製造段階ですべて遊技機ごとに付与され、ラベル等の貼付が行われる。ただし、上記（６）のチップＩＤ情報に関しては、遊技機製造メーカでなく、チップ製造メーカにおいてチップ固有番号等の書き込みが行われる。そして遊技機の組立完了後には、遊技機が梱包され、遊技ホールなど、指定の供給先に出荷される。かかる場合において、上記（１）〜（６）の各情報は、製造メーカで遊技機ごとに対応させて遊技機管理データとして登録され、非公開データとして記憶保持される。このとき、遊技機管理データとして、遊技機ごとに出荷先、出荷日時に関する出荷データも併せて登録される。
【００１５】
ホールなどにおいて、遊技機を新規に設置する場合には、当該遊技ホールの管理者などによって、製造メーカから出荷され納品された遊技機個々に各種ＩＤ情報の確認が行われる。このとき、スキャナ装置を用いて各種ＩＤ情報の読み取りが行われるとともに、その読み取った各種ＩＤ情報が前記遊技機管理データと照合され、遊技機が真正品であるか否かなどの確認（認証）が行われる。これにより、遊技機の搬送途中において当該遊技機が不正品に差し替えられたりしても、その不正品の判定が可能となる。また、遊技機の新規設置時以外にも、遊技機稼働開始後における定期又は不定期の遊技機チェック時や、主基板交換時、遊技盤交換時（板替え時）などにおいても同様に、上記ＩＤ情報の読み取り及び照合などが適宜行われる。
【００１６】
ただし、上記（１）〜（６）の各情報のうち、遊技ホールの管理者などによって読み取られるＩＤ情報は（１）〜（５）の情報であり、（６）の情報に関しては、特定の遊技機認証機関（警察機関等）において読み取られる情報となっている。
【００１７】
しかしながら、上記のような各種のＩＤ情報や識別情報を利用した不正対策が施されていても、未だに不正行為が行われることが考えられ、前述した封印構造や封印シール等を採用した回路基板装置であっても、不正の痕跡が残らないようにして巧妙に不正を施すといったことが考えられる。封印シールについては、例えば巧妙に封印シール（あるいは証紙ラベルや識別シール）を一旦剥がし、その後再び基板ボックスに貼り直して元の状態に戻すようにする不正が考えられる。こうした不正行為が行われる場合、遊技機を設置する遊技ホール等において多大な不利益が生じるおそれがあった。
【００１８】
上記特許文献で採用されている不正対策、つまり、基板ボックスを構成する上下一対のケース体の接合部に再貼付不可能であり剥がすと痕跡が残る封印シールを貼付する等の不正対策では、封印シールを剥がした痕跡が残っていれば、ケース体の接合部が開放されたことをチェックできるものであるから、不正行為がなされたことを直接的にチェックできるものではない。
【００１９】
そこで、本発明者等は、不正行為がなされたか否かのチェックを簡単にすることができるようにするにはどうしたらよいか、について種々検討を重ねてきた結果、特に、回路基板に関する不正行為が、回路基板を不正に取り外して当該基板内のＲＯＭを交換し遊技内容を変更するもの等である場合には、この回路基板を収納している基板ボックスを開放しなければならないことに着目して、本発明を完成したのである。
【００２０】
すなわち、本発明の目的とするところは、不正行為がなされた際の基板ボックスの開放履歴を、札片の破損という現象によって残すことができて、この破損履歴を視認または認識することによって、不正行為がなされたことを簡単にチェックすることのできる遊技機を提供することにある。
【００２１】
以上の課題を解決するために、まず、発明１の採った手段は、遊技のための回路基板が収納されて、ボックスベースとボックスカバーとを備えた基板ボックスを、遊技盤の裏面側に組み付けた遊技機であって、前記基板ボックスの一側部に設けた札片取付部と、この札片取付部に取り付けた札片と、この札片を覆いながら前記札片取付部に取り付けられるカバーと、このカバー内に装着されて、当該カバーの前記札片取付部に対する取付解除を行うとともに、この取付解除以前に前記札片に破損履歴を残す爪部材とを備えたことである。
【００２２】
この発明１の遊技機では、遊技のための回路基板が収納されて、ボックスベースとボックスカバーとを備えた基板ボックスの一側部に札片取付部が形成されていて、この札片取付部に札片が取り付けてある。この遊技機において使用される札片としては、「証紙ラベル」、「識別シール」、図１６に示すような「ＩＣタグ」、そして「マイコンチップ」等が考えられるが、本発明で述べている札片は、基板ボックスの一側部に形成した札片取付部に取り付けられるのであれば、これらの全てを含むものである。
【００２３】
この発明１の遊技機によれば、前記基板ボックスの一側部に設けた札片取付部に取り付けた札片が前記カバーによって覆われているから、例えば、ホールに設置された当該遊技機のトラブル解消のために、札片が取り付けてある基板ボックスをホール通路側に開放してホール店員が触れたとしても、札片はカバーによって損傷が与えられないように保護される。なお、札片を覆っているカバーが透明または半透明材料によって形成されていれば、札片の状態を外部から簡単に視認し得る。
【００２４】
また、この発明１の遊技機によれば、前記カバー内に装着した押圧部によって、前記カバーの前記札片取付部に対する取付解除が行えるようにしたから、例えば基板ボックス内に収納した回路基板の交換を行うためにボックスカバーをボックスベースから外す前提としての、前記札片取付部からの前記カバーの取り外しを行うことができる。
【００２５】
さらに、この発明１の遊技機によれば、爪部材が、カバーの取付解除以前に前記札片に破損履歴を残すものであるから、例えば基板ボックス内に収納した回路基板の交換を行う場合は勿論、回路基板を不正に取り外して当該基板内のＲＯＭを交換し遊技内容を変更する不正行為を行った場合にも、前記回路基板を収納している基板ボックの開放事実が札片に残される。
【００２６】
特に、不正行為を行って基板ボックスの開放がなされる場合には、カバーの取付解除以前に、爪部材によって前記札片に破損履歴が残されるから、この破損履歴を視認するか、札片が破損によって機能しなくなることによって、当該遊技機に不正行為がなされたことを容易にチェックすることができる。なお、基板ボックス内に収納した回路基板の交換を行う場合は、前記札片に残された破損履歴によって、未だ交換が完了していないことを視認または認識することができる。
【００２７】
従って、この発明１に係る遊技機によれば、不正行為がなされた際の基板ボックスの開放事実が、札片への破損という現象によって残されることになり、不正行為がなされたことのチェックが破損履歴を人の視認または機械的認識によって行えるものとなっているのである。
【００２８】
また、発明２に係る手段は、前記札片取付部を、前記ボックスベース及びボックスカバーの各一側部にそれぞれ一体的に形成されて、前記回路基板を前記ボックスベースとボックスカバーとの間に収納してこれらのボックスベースとボックスカバーとを一体化したときに重なり合うものとしたことである。
【００２９】
この発明２に係る遊技機では、前記札片取付部を、前記ボックスベース及びボックスカバーの各一側部にそれぞれ一体的に形成したから、前記札片取付部を、前記ボックスベース及びボックスカバーの製造時に同時に形成できて、前記基板ボックスの製造を容易なものにする。
【００３０】
また、この発明２の遊技機では、前記各札片取付部を、前記ボックスベースとボックスカバーとを一体化したときに重なり合うものとしたから、前記各札片取付部における前記札片の取付箇所あるいは取付面積を小さなものとし得て、前記札片の取付けを容易にし得るのである。
【００３１】
上記課題を解決するために、発明３に係る手段は、前記札片を、前記札片取付部を跨いで取り付けるようにしたことである。ここで、「札片が前記札片取付部を跨ぐ」とは、前記札片取付部が単数の場合は、札片が前記札片取付部の端部を包み込んで跨ぐことを意味し、前記札片取付部が複数の場合は、札片が前記札片取付部の端部の合わせ目を跨ぐことを意味する。
【００３２】
この発明３の遊技機によれば、「札片が前記札片取付部を跨ぐ」ようにしたから、回路基板の基板ボックスからの取り出しや、基板ボックス内への不正な電子部品の装着などを目的として基板ボックスを開放する場合には、札片を必ず破損させなければならない。そのため、札片の破損によって、不正行為の発見が可能となるのである。
【００３３】
また、発明４の手段は、前記爪部材を、前記カバーから突出する押圧部と、前記札片を破損させる爪部分と、前記カバーの前記札片取付部に対する取付解除を行う取付解除部とを備えたものとしたことである。
【００３４】
この発明４の遊技機によれば、前記爪部材を、前記カバーから突出する押圧部を備えたものとしたから、この突出している押圧部を前記カバー内に押し込むことによって、前記爪部材をも前記カバー内に押し込むことができる。逆に、この押圧部が前記カバーから突出していなければ、前記爪部材がカバー内に押し込まれている、つまり札片の破損がなされたことを示していることになる。
【００３５】
また、前記爪部材は、前記札片を破損させる爪部分を備えているから、前記押圧部を押
し込むことによって前記カバー内に押し込まれたとき、この爪部分によって前記札片の破損がなされることになる。
【００３６】
さらに、前記爪部材は、前記カバーの前記札片取付部に対する取付解除を行う取付解除部を備えているから、前記押圧部を押し込むことによって当該爪部材が前記カバー内に押し込まれたとき、前記カバーを前記札片取付部から外すことができるのである。
【００３７】
その他の手段１：
また、その他の手段１として、前記札片取付部に対するカバーの取り付けを、前記札片取付部側に設けた係止部に前記カバーに形成した係止突起を係止させて行うようにすることができる。
【００３８】
その他の手段１に係る遊技機によれば、前記札片取付部側に設けた係止部に前記カバーに形成した係止突起を係止させて、前記札片取付部に対するカバーの取り付けを行うようにしたから、例えばネジのような別部品を全く使用しないでカバーの取り付けが行える。
【００３９】
逆に、この他の手段１によれば、前記札片取付部側に設けた係止部から、前記カバーに形成した係止突起を外すだけで、前記札片取付部から前記カバーが取り外せるのである。
【００４０】
その他の手段２：
その他の手段２としては、前記札片を、当該遊技機または前記回路基板ごとに個別に付与された識別情報を有するものとすることができる。
【００４１】
この他の手段２の遊技機では、前記札片に、当該遊技機または前記回路基板ごとに個別に付与された識別情報が付与されているのであるから、この識別情報をチェックすることによって、当該遊技機、及びこれに使用されている前記回路基板が正規のものであるか否かを調べることができる。
【００４２】
その他の手段３：
その他の手段３としては、前記基板ボックスの他側部を、前記遊技盤の裏面側にヒンジ金具によって開閉自在に組み付けるとともに、前記ボックスカバーの前記ヒンジ金具側の他側部を封止部によって前記ボックスベースに封止できるようにしたことがある。
【００４３】
このその他の手段３の遊技機によれば、前記基板ボックスの他側部が、前記遊技盤の裏面側にヒンジ金具によって開閉自在に組み付けられるのであるから、前記基板ボックスの一側部に取り付けてある前記札片を、前記ヒンジ金具、つまり金属部分から遠ざけることができる。
【００４４】
また、このその他の手段３の遊技機によれば、前記ボックスカバーの前記ヒンジ金具側の他側部を封止部によって前記ボックスベースに封止できるようにしたから、前記封止部を破壊しない限り、当該基板ボックス内の前記回路基板の不正交換が行えない。当該基板ボックス内の回路基板を不正交換するために、前記封止部を破壊すれば、この封止部に破壊や溶解などによる痕跡が残るから、この痕跡によって不正交換が行なわれたことを直ちに発見することができる。
【００４５】
さらに、このその他の手段３の遊技機によれば、前記基板ボックスの他側部を前記ヒンジ金具によって開閉自在に組み付けたことともあいまって、基板ボックスの他側部での開放を困難にし、結局基板ボックスの一側部での開放を行わなければならないものうになっている。つまり、この手段３の遊技機によれば、前記基板ボックスを開放するには、その一側部に取り付けた札片を破損しなければならないものになっているのである。
【００４６】
以上、説明した各発明においては、
「遊技のための回路基板が収納されて、ボックスベースとボックスカバーとを備えた基板ボックスを、遊技盤の裏面側に組み付けた遊技機であって、
前記基板ボックスの一側部に設けた札片取付部と、この札片取付部に取り付けた札片と、この札片を覆いながら前記札片取付部に取り付けられるカバーと、このカバー内に装着されて、当該カバーの前記札片取付部に対する取付解除を行うとともに、この取付解除以前に前記札片に破損履歴を残す爪部材とを備えたこと」
にその構成上の主たる特徴があり、これにより、不正行為がなされた際の基板ボックスの開放履歴を、札片の破損という現象によって残すことができて、この破損履歴を視認または認識することによって、不正行為がなされたことを簡単にチェックすることのできる遊技機を提供することができる。
【００４７】
次に、上記各発明を、図面に示した実施の形態である遊技機１００（パチンコ機）について説明するが、この実施形態の遊技機１００は、上記各発明の全てを含むものである。
【００４８】
図１には、本発明を適用した遊技機１００の正面図が示してある。この遊技機１００は、ホール（パチンコ店）の島を構成している土台部分に立設される外枠１０を有しているものであり、この外枠１０に対しては、図２に示したように、図示右側の上下に設けた枢軸１２によって、本体枠１１が開閉自在に取り付けてある。なお、外枠１０には、図１にも示したように、ガラスを支持した前面枠１３が開閉自在に取り付けられるものである。
【００４９】
外枠１０に対して上下の枢軸１２によって連結した本体枠１１には、図１及び図２に示したように、前面側に遊技領域を形成した遊技盤２０が取り付けてある。この遊技盤２０の裏面には、図２及び図３に示したように、裏パックユニット３０や基板ボックス４０が取り付けてあり、本実施形態では、図４に示したように、基板ボックス４０の下側にスペーサボックス６０を配置し、このスペーサボックス６０の内側に球集合板７０を配置するようにしてある。
【００５０】
ここで、図２に示した基板ボックス４０の図示右側側部（当該遊技機１００の正面側から見れば左側になる）を「一側部」と言うこととし、この一側部とは反対側、つまり、図２に示した基板ボックス４０の図示左側側部を「他側部」ということとする。
【００５１】
基板ボックス４０は、図７及び図８に示したように、遊技盤２０側に配置されるボックスベース４０ａと、このボックスベース４０ａに嵌合されるボックスカバー４０ｂとからなり、これらのボックスベース４０ａ及びボックスカバー４０ｂによって形成される空間内には、図７に示したように、回路基板４０ｃが収納されるものである。これらのボックスベース４０ａ及びボックスカバー４０ｂは、非磁性体材料、つまり合成樹脂によってそれぞれ一体成形したものであり、特に本実施形態のボックスカバー４０ｂについては、当該基板ボックス４０内の外部からの視認を容易にするために、透明または半透明の合成樹脂材料によって形成してある。
【００５２】
また、この基板ボックス４０には、図３に示したように、その図示左側側縁（他側部）に５個の第１封止部４３が、また右側側縁（一側部）には、図７に示したように、２個の第２封止部４４が形成してある。なお、本実施形態に係る基板ボックス４０では、そのボックスカバー４０ｂが、ボックスベース４０ａに対して横方向からスライド嵌合されるものであるが、これらのボックスベース４０ａ及びボックスカバー４０ｂの嵌合方法は、上下方向からスライド嵌合できるようにしたり、あるいは蝶番などで開閉できるように実施してもよいものである。
【００５３】
そして、この基板ボックス４０は、図４に示したように、その裏面の一方側に取り付けられるベース部材４１を介して、球集合板７０側に取り付けたヒンジ金具４２により、球集合板７０、従って遊技盤２０に対して、図３から図４に示したような開閉が自在に行えるように連結したものである。
【００５４】
ベース部材４１は、図４にも示したように、枢軸１２とは反対側部分になる基板ボックス４０の裏面に、固定後に外すことができなくなるワンウエイネジや破断ネジによって一体的に取り付けられるものであり、図５に示したように、基板ボックス４０を構成するボックスベース４０ａの裏面（遊技盤２０側になる面）に取付けられるものである。
【００５５】
すなわち、このベース部材４１は、ボックスベース４０ａの裏面側に、挟持板とこれによってベース部材４１に一体化される係止金具とを介在させた状態で取り付けられるものである。この場合、ボックスベース４０ａの裏面に形成してある係止突起によって、当該ベース部材４１の位置決めがなされる。
【００５６】
ベース部材４１をボックスベース４０ａの裏面に取り付けるにあたって挟持された係止金具は、ヒンジ金具４２の先端の抜け止めと固定を行うものであり、金属製のものである。すなわち、この係止金具は、ヒンジ金具４２が差し込まれたときに、その先端を係止するものであり、これによってヒンジ金具４２の基板ボックス４０からの抜け止めを行うものである。
【００５７】
ヒンジ金具４２は、図３及び図４に示したようなものであり、球集合板７０の内側に差し込まれたヒンジ取付具の先端に、例えば金属製のリベットや枢軸によって回動自在に連結されるものである。勿論、球集合板７０は遊技盤２０の裏面に固定されるものであるから、以上のヒンジ取付具及びヒンジ金具４２によって球集合板７０に連結された基板ボックス４０は、遊技盤２０の裏面に取り付けられることになり、図４に示したような開閉が自由に行えるものとなる。
【００５８】
さて、この基板ボックス４０の左右両側縁には、図３及び図７に示したように、第１封止部４３及び第２封止部４４がそれぞれ形成してある。これらの第１封止部４３及び第２封止部４４は、実際には基板ボックス４０を構成しているボックスベース４０ａ及びボックスカバー４０ｂの左右両端縁に一体的に形成されるものであり、従って非磁性材料からなるものである。なお、これらの第１封止部４３及び第２封止部４４を封止したときには、回路基板４０ｃからの配線を引き出すための穴が、ボックスベース４０ａ及びボックスカバー４０ｂの何れか少なくとも一方に形成される。
【００５９】
これらの第１封止部４３及び第２封止部４４は、図に示した実施形態では、それぞれ５個及び２個形成してあり、それぞれ独立したものとしてある。勿論、これらの第１封止部４３及び第２封止部４４の数や大きさは、適宜選定できるものである。
【００６０】
まず、第１封止部４３については、ボックスベース４０ａ及びボックスカバー４０ｂの、ヒンジ金具４２側の側部にそれぞれ一体的に形成されて、互いにボックスベース４０ａとボックスカバー４０ｂとを閉じたとき重なり合うベース側封止部及びカバー側封止部と、これら重なり合ったベース側封止部及びカバー側封止部間に挿入されて、両者間の離間を阻止する封止金具とにより構成してある。
【００６１】
すなわち、この実施形態の遊技機１００では、その第１封止部４３の構成をボックスベース４０ａ及びボックスカバー４０ｂのヒンジ部材側の側部に、ベース側封止部及びカバー側封止部をそれぞれ一体的に形成したものである。これらのベース側封止部及びカバー側封止部は、ボックスベース４０ａとボックスカバー４０ｂとを閉じたとき、互いに重な
り合うものである。
【００６２】
これら重なり合ったベース側封止部及びカバー側封止部間に封止金具が挿入されたとき、この封止金具によって両者間の相対移動が阻止されることになる。そして、本実施形態では、封止金具と係合する二本の係止突起を有するストッパがベース側係止部内に収納してあり、このストッパ内に封止金具が挿入されることにより、二本の係止突起がベース側係止部内で少し開いて、このストッパがカバー側係止部側に係合するようにしてある。
【００６３】
もし、この第１封止部４３の封止を解いて、内部の回路基板４０ｃの不正交換を行った場合には、この封止を解いた状況（破壊や溶融した跡）が第１封止部４３のどこかに残るはずである。この跡が残っていれば、回路基板４０ｃの不正交換が行われたことを示すものであるから、この第１封止部４３の状況によって不正をチェックすることができる。
【００６４】
各第１封止部４３の封止において金属製の封止金具を使用したとしても、この第１封止部４３は基板ボックス４０の札片５０とは反対側に位置しているから、これらの封止金具によって電磁波が吸収されてしまうという悪影響を、アンテナ部５３を有するタイプの札片５０に与えることはない。
【００６５】
一方、各第２封止部４４については、本実施形態の場合、ボックスベース４０ａ及びボックスカバー４０ｂ側のそれぞれについて、図示はしていないが、スライド嵌合し合った場合に互いに係合する穴、またはこの穴に係合する爪（係合突起）が形成してある。当該係合突起を形成した第２封止部４４は、合成樹脂によってボックスベース４０ａまたはボックスカバー４０ｂと一体成形したものであるから、この係合突起はある程度の弾性を有したものとなっている。
【００６６】
この第２封止部４４には、これに形成した係合突起を外部から視認できる開口が形成してあるから、当該第２封止部４４における係合突起による封止を外したい場合には、この係合突起を「キー」等を使用して押し込み、穴と爪との係合を解くようにするのである。
【００６７】
さて、本実施形態の基板ボックス４０は、図７及び図８に示したように、遊技盤２０の裏面側に固定されるボックスベース４０ａと、このボックスベース４０ａに上述した封止部４３及び４４等を利用して取り付けられるボックスカバー４０ｂとを備えているもので、これらのボックスベース４０ａ及びボックスカバー４０ｂの間には、図７にも示したように、回路基板４０ｃを収納できる空間が形成される。
【００６８】
これらのボックスベース４０ａ及びボックスカバー４０ｂの各一側部、つまり、図７の図示右側部には、札片取付部４５ａ及び札片取付部４５ｂがそれぞれ一体的に形成してあり、これらの札片取付部４５ａ及び札片取付部４５ｂは、図７及び図８に示したように、回路基板４０ｃを収納してボックスベース４０ａとボックスカバー４０ｂとを一体化したとき、互いに重なり合うものである。また、これらの札片取付部４５ａ及び札片取付部４５ｂには、図７にも示したように、固定穴４８ａ及び挿入穴４８ｂがそれぞれ形成してあって、これらの固定穴４８ａ及び挿入穴４８ｂを利用して、図７中の仮想線にて示したように、固定ネジ４８が取り付けられるものであり、これにより、札片取付部４５ａ及び札片取付部４５ｂが重なり合った状態で固定されるものである。
【００６９】
札片取付部４５ａは、図７及び図８に示したように、２個の第２封止部４４の間で図示右方向に突出するものであり、固定ネジ４８用の固定穴４８ａを有しているものである。また、この札片取付部４５ａの上下端部には、後述するカバー４６側の係止突起４６ａが係合される係止部４５ｃが形成してあり、この札片取付部４５ａのその他の面は、後述する札片５０を貼付し易くするために、平面としてある。
【００７０】
一方、特に本実施形態に係る札片取付部４５ｂは、図７及び図８に示したように、上記札片取付部４５ａに重なり合う形状に形成したもので、当該札片取付部４５ｂの、後述する爪部材４７の爪部分４７ａが進行してくる部分には切込４９が形成してある。この切込４９の数や形成位置は、後述する爪部材４７の爪部分４７ａに応じて種々変更できるが、札片５０が後述するアンテナ部５３を有するものである場合に、札片５０の破損と共にこのアンテナ部５３の破壊をも行えるようにすることを考えると、図７に示したように、札片取付部４５ｂの上下方向の中間部分に複数個設けるのが、最も好ましい。勿論、この札片取付部４５ｂには、前述したように、固定ネジ４８が挿入される挿入穴４８ｂが形成してある。
【００７１】
重なった状態で固定された札片取付部４５ａおよび札片取付部４５ｂには、図４、図１０の（ａ）、あるいは図１２の（ａ）に示したように、その重なった部分を跨いで後述する札片５０が取り付けられるのである。このとき、札片取付部４５ｂ側に形成してある切込４９は、この札片５０によって完全に覆われるのであり、この札片５０が後述するようなアンテナ部５３を有するものである場合には、このアンテナ部５３は各切込４９と交差する状態となる。
【００７２】
札片５０が跨いだ状態で貼付された札片取付部４５ａおよび札片取付部４５ｂには、図７及び図８に示したように、爪部材４７を収納しながらカバー４６が取り付けられる。カバー４６は、両札片取付部４５ａ・４５ｂとこれに貼付した札片５０の全体を包み込みながら基板ボックス４０の一側部に取り付けられるものであり、例えば図１０及び図１４の各（ａ）に示したように、内部に一体的に形成した係止突起４６ａを上下に有し、当該カバー４６の側面中央に、後述する爪部材４７側の押圧部４７ｂを突出させる窓４６ｂを形成したものである。
【００７３】
爪部材４７は、図７に示したように、本体４７Ａと、これに設けた係止穴内に係合される脚部を有した押圧部４７ｂとからなるものであり、本体４７Ａの図示左側中央には、カバー４６を札片取付部４５ａ及び札片取付部４５ｂに取り付けたとき、札片取付部４５ｂに形成してある切込４９に対向することになる爪部分４７ａが設けてある。一方、この本体４７Ａの図示右側中央に取り付けられる押圧部４７ｂは、図９及び図１０に示したように、カバー４６の窓４６ｂから突出するものであり、基板ボックス４０の開放を行う場合に押圧されて、当該爪部材４７全体を図１０の（ａ）の図示左方へ移動させるものである。
【００７４】
また、この爪部材４７を構成している本体４７Ａの図示上下には、例えば図７に示したように、取付解除部４７ｃが形成してある。この取付解除部４７ｃは、当該爪部材４７を押圧部４７ｂによって押し込んだとき、図１０及び図１２の各（ａ）に示した変化から理解できるように、カバー４６内の各係止突起４６ａを押し広げるものであり、これにより札片取付部４５ａ・４５ｂに取り付けたカバー４６を外すものである。
【００７５】
なお、本実施形態の爪部材４７に形成してある爪部分４７ａは、図７、図８及び図１０の（ａ）に示したように、札片取付部４５ｂ側の二つの切込４９に侵入し得る２個の爪と、これらの爪の間を連結する板部４７ｄ（図８中の拡大部分図参照）とを有したもので、各爪の先端は、図１０の（ａ）に示したように、板部４７ｄより突出したものとしてある。そして、板部４７ｄは、当該爪部材４７が押圧部４７ｂにて押し込まれたとき、札片取付部４５ａ側に形成した凹所４５ｄ（図７及び図８参照）内に侵入するものである。
【００７６】
ここで、以上のカバー４６及び爪部材４７の詳細な動きを説明すると、まず、このカバー４６内には、例えば図１４の（ａ）に示したように、爪部材４７が組み込まれる。勿論
、この爪部材４７は、例えば図７に示したように、押圧部４７ｂを本体４７Ａに組み付けて一体的なものとされている。
【００７７】
以上のカバー４６及び爪部材４７は、図９〜図１１に示したように、重ね合わせて固定した札片取付部４５ａ・４５ｂに札片５０を貼付した部分、つまり基板ボックス４０の一側部に取り付けられるのであるが、このときには、図１０及び図１１の各（ｂ）に示したように、爪部材４７を構成している押圧部４７ｂはカバー４６の窓４６ｂから外方に突出した状態となる。また、カバー４６内にては、図１０の（ａ）にて示したように、札片取付部４５ｂの係止部４５ｃに、カバー４６の内部に形成した係止突起４６ａの先端が係止していて、カバー４６の、基板ボックス４０の一側部に対する取付が完了している。そして、図１０の（ａ）に示したように、爪部材４７側の爪部分４７ａは札片５０に対向しているのみで当該札片５０を破損させることがなく、爪部材４７側の各取付解除部４７ｃは係止突起４６ａに当接しているのみで拡開されていない状態にある。
【００７８】
ここで、図１２の（ｂ）及び図１３の（ａ）及び（ｂ）に示したように、押圧部４７ｂがカバー４６の窓４６ｂ内に押し込まれると、当該爪部材４７全体はカバー４６内にて札片５０に向けて進行する。これにより、爪部材４７の各爪部分４７ａは札片取付部４５ｂ側の切込４９内に侵入するとともに、爪部材４７の板部４７ｄは札片取付部４５ａの凹所内に侵入するから、札片５０は、図１２及び図１４の各（ａ）に示したように、部分的に破損される。そして、この札片５０が破損されたとき、あるいはその後に、図１２の（ａ）に示したように、爪部材４７側の各取付解除部４７ｃが各係止突起４６ａを拡開させることになるから、これらの係止突起４６ａと札片取付部４５ｂ側の係止部４５ｃとの係合が解除される。
【００７９】
そこで、図１４及び図１５に示したように、押圧部４７ｂを押したままカバー４６を引き抜けば、当該カバー４６及び中の爪部材４７は、札片５０に破損部分を残した状態で、基板ボックス４０の一側部から外されるのである。
【００８０】
さて、札片５０であるが、本実施形態では、図１６に示したような構成のものを採用している。つまり、この札片５０は、図１６の（ａ）に示したように、札片取付部４５ａ・４５ｂに貼付できるようにした矩形状のベースシート５１と、このベースシート５１の表面の対角線上に取り付けた長尺なアンテナ部５３と、このアンテナ部５３の中心部に設けたＩＣチップ５２とからなるものである。
【００８１】
つまり、このＩＣチップ５２は、ベースシート５１の点対称位置に設けたものであり、当該札片５０を基板ボックス４０の一側部に取り付けたとき、両札片取付部４５ａ・４５ｂの重ね合わせ部分であって、札片取付部４５ｂ側の両切込４９間に位置するようにしてある。また、この札片５０を構成しているベースシート５１は矩形状に形成してあって、その長辺側が縦になるように、札片取付部４５ａ・４５ｂに貼付されるものであり、図１６の（ａ）に示した左右両側部分は、両札片取付部４５ａ・４５ｂのそれぞれに均等に貼付されるものであって、上記ＩＣチップ５２、及びこのＩＣチップ５２の周囲のアンテナ部５３が札片取付部４５ｂ側の両切込４９間に位置するようになっている。
【００８２】
ここで、本実施形態では、アンテナ部５３と固定ネジ４８との位置関係が特徴的なものとなっている。そこで、以下に係る位置関係について詳細に説明する。
【００８３】
アンテナ部５３はベースシート５１の対角線上に設けられているから、その両端部は、図７に示すように、札片取付部４５ａ及び４５ｂにおいて、挿入穴４８ｂを避けるようにして配置されることになる。このようにアンテナ部５３が配置されることにより、アンテナ部５３の両端部は対応する固定ネジ４８の頭部から離れることになる。つまり、札片５
０を札片取付部４５ａ・４５ｂに貼付したとき、アンテナ部５３と固定ネジ４８とは離間されることになる。
【００８４】
また、アンテナ部５３と固定ネジ４８との間には両者を介在する介在部材が設けられていない。つまり、アンテナ部５３と固定ネジ４８との間には空間が設けられている。これにより、アンテナ部５３が挿入穴４８ｂ内に向けて撓みにくくなり、アンテナ部５３と固定ネジ４８の頭部とを対峙させた構成において両者を確実に離間させることができる。例えば、アンテナ部５３が固定ネジ４８に接触すると設定された共振周波数（本実施の形態では、２．４５ＧＨｚ）が変化してしまい、ＩＣチップ５２に格納されたＩＤ情報がスキャナ装置によって読み取れなくなるおそれがあるが、本実施の形態における構成によればかかる不都合の発生を防止することができる。
【００８５】
また、図７に示した通り、各札片取付部４５ａ・４５ｂには囲み部が形成されており、ベースシート５１の周縁は囲み部に近接している。したがって、ベースシート５１の貼り付け作業に際しては、ベースシート５１が囲み部によって囲まれた領域内からはみ出ないように貼り付けることで、アンテナ部５３の両端部が、挿入穴４８ｂから離れ、固定ネジ４８の頭部からも離れる。また、札片取付部４５ａ・４５ｂの囲み部によって囲まれる領域は、ベースシート５１の面積よりも広くなっている。これにより、ベースシート５１の貼り付け作業に際しては、貼り付け位置に所定のゆとりが生まれ、貼り付け作業の作業性が向上されている。さらに、上記のとおり札片５０は矩形状のベースシート５１の中心に対して点対称となるように配置されているため、ベースシート５１を上下逆に貼り付けたとしても、アンテナ部５３の両端部が固定ネジ４８の頭部からはなれることになる。
【００８６】
また、この札片５０は、上記「背景技術」でも説明した通り、現在のところ、当該遊技機１００ごと、あるいは主制御装置のような遊技のための回路基板４０ｃごとに付された各種のＩＤ情報を有するものである。この各種のＩＤ情報としては、次の（１）〜（６）のようなものが現在採用されている。
（１）遊技盤用の証紙ラベルに記された遊技盤ＩＤ情報
遊技盤用の証紙ラベルは、例えば遊技盤に貼付され、遊技盤ＩＤ情報として遊技盤の製造メーカ名（例えば、（株）××物産）、遊技機製造番号（例えば、No.１２３４５６７
）、及びそれらの各データを二次元コード化した押圧部４７ｂ取付解除部４７ｃコードが記されている。
（２）枠用の証紙ラベルに記された枠ＩＤ情報
枠用の証紙ラベルは、遊技盤等を開閉可能に支持する本体枠に貼付され、枠ＩＤ情報として本体枠の製造メーカ名（例えば、（株）××物産）、遊技機製造番号（例えば、No.
１２３４５６７）、及びそれらの各データを二次元コード化した押圧部４７ｂ取付解除部４７ｃコードが記されている。
（３）識別シールに記された主基板ＩＤ情報
識別シールは、主制御装置等の回路基板を収納する基板ボックスに貼付され、（主）基板ＩＤ情報として製造メーカコード（例えば、札片５０挿入穴４８ｂ−ボックスベース４０ａ）、製造番号（例えば、No.１２３４５６７）、及びそれらの各データを二次元コー
ド化した押圧部４７ｂ取付解除部４７ｃコードが記されている。
（４）識別シールに記された遊技機ＩＤ情報
識別シールは、主制御装置等の回路基板を収納する基板ボックスに貼付され、遊技機ＩＤ情報として製造メーカ名（例えば、（株）××物産）、機種名（例えば、××物語）、機種コード（例えば、１２３４５Ａ）、及びそれらの各データを二次元コード化した押圧部４７ｂ取付解除部４７ｃコードが記されている。
（５）ＩＣタグのタグＩＤ情報
ＩＣタグは、主制御装置等の回路基板を収納する基板ボックス等の封印シールに組み付けられ、タグＩＤ情報として製造メーカ名（又は複数のメーカごとに付されたメーカ固有
番号）、遊技機固有のＩＤ番号が格納されている。
（６）マイコンチップに格納されたチップＩＤ情報
マイコンチップは、主制御装置等の回路基板に実装され、チップＩＤ情報としてチップ固有番号等が記憶されている。
【００８７】
換言すれば、基板ボックス４０の一側部に貼付される札片５０としては、図１６に示したようなものに限らず、（１）の「遊技盤用の証紙ラベル」、（２）の「枠用の証紙ラベル」、（３）及び（４）の「識別シール」、（５）の「ＩＣタグ」、そして、（６）の「マイコンチップ」が適用されるものである。
【００８８】
そして、この実施形態の遊技機１００で採用している札片５０は、図１６に示したようなアンテナ部５３付きのＩＣチップ５２を有しているものであったから、外部のスキャナーによって電磁波を照射したとき、ＩＣチップ５２に書き込まれている当該遊技機１００の識別情報や製造番号などの各種情報を、この札片５０に直接接触しなくてもスキャナーに伝達することができるものである。
【００８９】
上記ＩＣチップ５２が、メモリ領域としてデータ書き替え不可な不揮発性メモリ領域（ＲＯＭ）を有し、そのメモリ領域に前記識別情報を記憶保持させたものであれば、このＩＣチップ５２においてデータ書き換え不可のメモリ領域に識別情報が記憶保持されるため、識別情報が不正に改ざんされる等の不都合が抑制できる。
【００９０】
また、本実施例における遊技機１００のように、基板ボックス４０の一側部における分割部分（札片取付部４５ａ・４５ｂの間）を跨ぐようにして札片５０を貼り付ければ、基板基板４０ｃの取り出しや、基板ボックス４０内への不正な電子部品の装着などを目的として基板ボックス４０を開放する場合には、札片５０を一旦剥がしたり破損させなければならない。そのため、上記のとおり札片５０を破損させることに伴い、その後の札片５０の再使用を不可とすることができる。これにより、不正行為の発見が可能となる。
【００９１】
ところで、本実施形態の遊技機１００は、図４〜図７に示したように、基板ボックス４０の下側にスペーサボックス６０を介在させるようにしている。このスペーサボックス６０は、合成樹脂製のものであり、その表面側は図４に示したように略平面的なものであるが、その裏側は、図６に示したように、多数のリブを形成することによって、遊技盤２０側に向けて開口した多数の空間を有したものとしてある。これらのリブは、当該スペーサボックス６０に剛性を付与するとともに、中に物（例えば不正基板など）が入れられないようにするものである。
【００９２】
このスペーサボックス６０は、図４に示したように、ヒンジによって後述する球集合板７０に開閉自在に連結したものであり、このスペーサボックス６０を閉じたときには、図４にも示したように、その上側に、ヒンジ金具によって球集合板７０側に連結した基板ボックス４０を配置できるようにしたものである。
【００９３】
また、このスペーサボックス６０の表面側には、図３に示したように、係止部が突出形成してある。この係止部は、当該スペーサボックス６０の上に閉じられてきた基板ボックス４０を係止するものであり、これを右方向に押すことによって基板ボックス４０を開放し得るようにするものである。
【００９４】
さて、球集合板７０であるが、この球集合板７０は、遊技盤２０に形成してある入賞口から転動してきたパチンコ球を受けながら、その入賞を検知する各種スイッチを内蔵したものであり、周囲のベース板にて遊技盤２０側に取り付けられるものである。
【００９５】
そして、この実施形態の遊技機１００では、上記球集合板７０のベース板を遊技盤２０の裏面に取り付けるにあたって、ベース板と一体的に形成した止め部から挿通して遊技盤２０の裏面に螺着したビスの頭部をキャップで覆うようにしてある。
【００９６】
一方、ワイヤハーネス８０は、図３及び図４に示したように、遊技盤２０の裏面側であって、上述した基板ボックス４０や、その上側にある裏パックユニット３０等の間に接続されるものであり、概略遊技盤２０の裏面側の略中心部分に配置してある。つまり、このワイヤハーネス８０は、本体枠１１の回動中心である枢軸１２から離れた位置に存在するものである。
【００９７】
以上の結果、当該遊技機１００において使用されるワイヤハーネス８０が札片５０に近接しないことになり、当該遊技機１００を製造する際や、当該遊技機１００の設置店でのトラブル解消のため等に本体枠１１を開閉する際の、このワイヤハーネス８０の取り外し作業や接続作業を、札片５０には全く悪影響を与えずに行えるものである。
【００９８】
しかも、電気が通るワイヤハーネス８０が札片５０から離れているから、札片５０からの情報の読み出しは、ワイヤハーネス８０から悪影響を受けることなく正確に行えるのである。
【符号の説明】
【００９９】
１００    遊技機
１０    外枠
１１    本体枠
１２    枢軸
１３    前面枠
２０    遊技盤
３０    裏パックユニット
３１    ベース部材
４０    基板ボックス
４０ａ  ボックスベース
４０ｂ  ボックスカバー
４０ｃ  回路基板
４１    ベース部材
４２    ヒンジ金具
４３    第１封止部
４４    第２封止部
４５ａ  札片取付部
４５ｂ  札片取付部
４５ｃ  係止部
４５ｄ  凹所
４６    カバー
４６ａ  係止突起
４６ｂ  窓
４７    爪部材
４７ａ  爪部分
４７ｂ  押圧部
４７ｃ  取付解除部
４８    固定ネジ
４８ａ  固定穴
４８ｂ  挿入穴
４９    切込
５０    札片
５１    ベースシート
５２    ＩＣチップ
５３    アンテナ部
６０    スペーサボックス
６１    ハーネス収納凹部
７０    球集合板
８０    ワイヤハーネス
【図１】
2014208246.tif 000003
【図２】
2014208246.tif 000004
【図３】
2014208246.tif 000005
【図４】
2014208246.tif 000006
【図５】
2014208246.tif 000007
【図６】
2014208246.tif 000008
【図７】
2014208246.tif 000009
【図８】
2014208246.tif 000010
【図９】
2014208246.tif 000011
【図１０】
2014208246.tif 000012
【図１１】
2014208246.tif 000013
【図１２】
2014208246.tif 000014
【図１３】
2014208246.tif 000015
【図１４】
2014208246.tif 000016
【図１５】
2014208246.tif 000017
【図１６】
2014208246.tif 000018
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
遊技のための回路基板が収納されて、ボックスベースとボックスカバーとを備えた基板ボックスを組み付けた遊技機であって、
前記基板ボックスの一側部に設けられる札片取付部と、
その札片取付部に取り付けられる札片と、
その札片を覆って前記札片取付部に取り付けられるカバーと、
当該カバーの前記札片取付部に対する取付解除が行われる場合に前記札片を破損させる爪部分とを備え、
該爪部分は、前記札片に当接する先端部が同一方向側に連続する複数の爪部を備えていることを特徴とする遊技機。
【請求項２】
前記遊技機は、パチンコ機であることを特徴とする請求項１に記載の遊技機。
【手続補正２】
【補正対象書類名】明細書
【補正対象項目名】０００５
【補正方法】変更
【補正の内容】
【０００５】
請求項１記載の遊技機では、遊技のための回路基板が収納されて、ボックスベースとボックスカバーとを備えた基板ボックスを組み付けた遊技機であって、前記基板ボックスの一側部に設けられる札片取付部と、その札片取付部に取り付けられる札片と、その札片を覆って前記札片取付部に取り付けられるカバーと、当該カバーの前記札片取付部に対する取付解除が行われる場合に前記札片を破損させる爪部分とを備え、該爪部分は、前記札片に当接する先端部が同一方向側に連続する複数の爪部を備えている。なお、札片としては、「証紙ラベル」、「識別シール」等が例示される。